(57)【特許請求の範囲】
【請求項１】
ワークの上面に載置されるベースと、該ベースに支持されているとともにノコ刃を回転可能に支持する丸鋸本体を備え、ノコ刃とベース端面との平行度を調整する機能を備える丸鋸機であって、
ベースが、前記丸鋸本体を支持するとともに前記ノコ刃を貫通させて下方に突出させる開口部が開設された主ベース部と、該主ベース部の端面に取付けられるガイド体と、該ガイド体を前記ノコ刃に対して位置決めする位置決め手段とを含んで構成されており、
前記ガイド体は、その一端が前記主ベース部に対して軸着され、その軸着位置を中心に前記主ベース部に対して回動可能となっていることを特徴とする丸鋸機。
【請求項２】
前記ガイド体は、前記主ベース部の前記開口部が開設された側と反対側の端面に取付けられていることを特徴とする請求項１に記載の丸鋸機。
【発明の詳細な説明】
【０００１】
【発明の属する技術分野】
本発明は、丸鋸機に関し、詳しくは、ノコ刃とベース端面との平行度を調整する機能を備える丸鋸機に関する。
【０００２】
【従来の技術】
丸鋸機を使用してワークを一定の方向に切断する場合、丸鋸機のベース端面を定規（例えば角度切り定規）に摺動させながらワークを切断する場合がある。このような切断作業を行う場合、丸鋸機は定規の方向（すなわち、ベース端面の延長方向）に移動することとなるため、スムーズな切断を行うためには、ベース端面とノコ刃とが平行であることが要求される。すなわち、ベース端面（丸鋸機の移動方向）とノコ刃が平行でないと、ノコ刃の側面がノコ刃切断面に触れてしまい、これが抵抗となってスムーズな切断が行えないためである。
【０００３】
しかしながら、従来の丸鋸機においては、各部品の累積公差やノコ刃の工作精度等によって、ベース端面がノコ刃と平行にならない場合があった。このため、従来から上述した問題を解決するための技術が種々開発されている（特開平１１−３４００３号公報等）。この公報に記載の技術について図７を参照して説明する。ここで、図７は上記公報に記載の丸鋸機の構造を模式的に示す図面である。上記公報に記載の丸鋸機では、板材を所定の幅で長尺状に切断するために使用される平行ガイド８０を改良することでノコ刃とベース端面の平行度を調整する。すなわち、図７に示すように、上記公報に記載の丸鋸機では、ベース７０の端面には一対の取付部７４ａ、７４ｂが設けられ、この取付部７４ａ、７４ｂに平行ガイド８０が取付けられる。この平行ガイド８０は、上記取付部７４ａ、７４ｂによって矢印ａの方向に進退可能に案内される２本の支持バー８２ａ、８２ｂと、この支持バー８２ａ、８２ｂの一端側に取付けられるガイド体８４とで構成される。このガイド体８４は、定規に摺動するガイド面（ベース７０と反対側の外側面）を備え、その一端が支持バー８２ｂに軸着されるとともに、その他端が他方の支持バー８２ａに角度調整可能に取付けられる。
かかる構成の丸鋸機において、ノコ刃７２とガイド体８４の平行度を調整するためには、まず、支持バー８２ａ、８２ｂを取付部７４ａ、７４ｂに固定する。次に、ガイド体８４の一端側（支持バー８２ａ側）を矢印ｂのように回動させて、ノコ刃７２とガイド体８４が平行となるように調整し、ガイド体８４を支持バー８２ａに固定する。これにより、ガイド体８４とノコ刃７２は平行となり、切断作業時においてはこの平行に調整されたガイド体８４のガイド面に定規を摺動させて切断作業を行うこととなる。
【０００４】
【発明が解決しようとする課題】
上記した丸鋸機においては、板材を所定の幅で長尺状に切断するために使用される平行ガイド８０の外側面を定規に摺動させるガイド面として利用する。このような平行ガイド８０は、長尺状の板材を切断する作業を行う場合において切断する長尺状の板材の幅が変わるときには、支持バー８２ａ、８２ｂを取付部７４ａ、７４ｂに対して進退動して、その位置を調整することが行われる。
ここで、上記丸鋸機においては、支持バー８２ａ、８２ｂを取付部７４ａ、７４ｂに対して進退動可能に案内するため、支持バー８２ａ、８２ｂと取付部７４ａ、７４ｂの間にはある程度のクリアランスが設けられている。このため、支持バー８２ａ、８２ｂを取付部７４ａ、７４ｂに対して進退動させて位置調整する毎に、支持バー８２ａ、８２ｂの取付部７４ａ、７４ｂに対する固定状態が変わる可能性がある。この支持バー８２ａ、８２ｂの固定状態が変わると、ガイド体８４とベース７０、すなわちノコ刃７２との平行度がずれることとなる。
このように、従来の丸鋸機においては、ノコ刃交換時等にノコ刃７２とガイド体８４との平行度を調整していたとしても、平行ガイド８０をベース７０に対して進退動させてその位置を調整してしまうと、ノコ刃７２とガイド体８４の平行度が担保されないという問題があった。
【０００５】
本発明は、上述した実情に鑑みてなされたものであり、その目的は、ノコ刃とベース端面との平行度を調整した後において、ノコ刃とベース端面の平行度がずれてしまうことを防止する丸鋸機を提供する。
【０００６】
【課題を解決するための手段と作用と効果】
本発明の丸鋸機は、ノコ刃とベース端面との平行度を調整する機能を備える丸鋸機であって、ベースが、前記丸鋸本体を支持するとともに前記ノコ刃を貫通させて下方に突出させる開口部が開設された主ベース部と、該主ベース部の端面に取付けられるガイド体と、該ガイド体を前記ノコ刃に対して位置決めする位置決め手段とを含んで構成されている。
この丸鋸機では、ベース自体が、主ベース部と、この主ベース部の端面に取付られるガイド体で構成され、このガイド体（ベース端面）が、位置決め手段によってノコ刃に対して位置決めされる。したがって、ベース自体がノコ刃と平行度が調整されるガイド体を備えているため、そのガイド体はノコ刃と平行度が調整された後は、他の作業のために主ベース部に対する位置（ノコ刃との平行度が調整された状態）が変更されることは無い。したがって、ノコ刃とガイド体（ベース端面）との平行度がずれることを防止することができる。
【０００７】
本発明の丸鋸機においては、前記ガイド体は、その一端が前記主ベース部に対して軸着され、その軸着位置を中心に前記主ベース部に対して回動可能となっている。
この丸鋸機では、ガイド体は、その一端が主ベース部に直接軸着されており、ガタ（クリアランス）が生じ難い構造となっているため、切断作業中にガイド体に大きな力が作用しても、ノコ刃とガイド体との平行度がずれ難くなる。
【０００８】
【発明の実施の形態】
本発明は、次に記載した各形態で好適に実施することができる。
（形態１）  本発明に係る丸鋸機においては、前記ガイド体が、前記主ベース部のモータ側端面に取付けられることが好ましい。モータ側端面を定規に摺動させて切断作業することが多いためである。
（形態２）  本発明に係る丸鋸機においては、前記ガイド体が、前記主ベース部の端面全長に渡って設けられていることが好ましい。この形態によれば、定規にガイド体を摺動させながら丸鋸機を移動できる距離が長くなるため、定規を使用した切断作業を容易に行うことができる。
【０００９】
【実施例】
以下、本発明を具現化した実施例に係る丸鋸機について図１乃至図６を参照して説明する。図１、図２は丸鋸機の平面図であり、図３は図１におけるIII−III断面図であり、図４は図３に示す固定部の他の状態を示す図であり、図５は図１におけるV−V断面図であり、図６は図２におけるVI−VI断面図である。
丸鋸機１は、図１、図２に示すように、切断時に被切断材であるワークの上面に載置されるベース２と、そのベース２に傾動支持部３８を介して上下に傾動可能に支持された丸鋸本体３２を備えている。
【００１０】
まず、丸鋸本体３２の構成について説明する。丸鋸本体３２は、図１、図２に示すように、円形のノコ刃２８を回転可能に支持したブレードケース３４を備え、このブレードケース３４は、図６に示すように、ノコ刃２８の上側の刃先及びその側方をカバーしている。このブレードケース３４には、図１に示すようにギヤケース部２６が形成されており、このギヤケース部２６に、モータケース１６が接合されている。
【００１１】
このモータケース１６内には、図６に示すように、その内部にモータ６０が収容固定され、このモータ６０のモータ軸４２の先端にはギヤ４３が形成されている。このモータ軸４２に形成されたギヤ４３はギヤ５４と噛合し、このギヤ５４は、ベアリング５２、５８によって回転可能に支持された回転軸５６の一端に固定されている。回転軸５６の他端には、ノコ刃受け部材４４及びノコ刃留め部材４６に挟持された状態でノコ刃２８が取付けられている。すなわち、ノコ刃受け部材４４とノコ刃留め部材４６との間にノコ刃２８が挟まれた状態でボルト４８を回転軸５６に固定することで、ノコ刃２８が回転軸５６に固定されている。このノコ刃２８は、図６に良く示されるように、ベース２に開設されたノコ刃貫通孔５０からベース２の下方に突出している。したがって、モータ６０が回転すると、その回転がギヤ４３及びギヤ５４を介して回転軸５６に伝達されてノコ刃２８が回転軸５６と一体となって回転し、ベース２下方にセットした被切断材を切断することとなる。
【００１２】
また、上記回転軸５６には、図６に良く示されるように、セーフティカバー５１が回転軸５６の回転とは独立して回動可能に支持されている。このセーフティカバー５１は、ノコ刃２８と同様ベース２に設けられたノコ刃貫通孔５０から下方に突出し、ノコ刃２８の下側ほぼ半周の刃先及びその側方をカバーする。
なお、このセーフティカバー５１は、回転軸５６を中心として切断進行方向に付勢されており、その先端部分がワーク（図示省略）に当接することで、回転軸５６を中心として切断反進行方向に回動する。したがって、ワークにセーフティカバー５１が当接した状態で丸鋸機１を移動させることで、セーフティカバー５１が開閉され、ノコ刃２８の必要な部分だけが露出されるようになっている。ただし、セーフティカバー５１は、取っ手部３０を図６中上下に操作することによって手動でも開閉させることができる。
【００１３】
なお、上述したモータケース１６には、丸鋸機１を操作又は携帯する際に操作者が把持するためのハンドル部２４が設けられている。このハンドル部２４には、図１に示されるように、図中下端からモータ６０に電源電圧を供給するための電源コード２２が引き出されている。さらに、このハンドル部２４の内側には、モータ６０を起動させるためのスイッチ（図示省略）が配置されている。したがって、操作者がハンドル部２４を把持しながらそのスイッチを指で引いて操作すると、モータ６０が起動しノコ刃２８が回転する。
【００１４】
次に、丸鋸機１を構成するベース２について説明する。本実施例におけるベース２は、図１、図２に良く示されるように、方形状の板材である主ベース部４と、この主ベース部４に取付けられたガイド体１４で構成される。この主ベース部４は、丸鋸本体３２を支持するとともに、ノコ刃２８を主ベース部４の下方に突出させるためのノコ刃貫通孔５０が開設されている（図６参照）。また、この主ベース部４のモータ側端面（ノコ刃貫通孔５０が開設される側と反対側の端面）には、その端面全長に渡ってガイド体１４が取付けられる。このガイド体１４は、ノコ刃２８との平行度が調整され、その外面１５（主ベース部４と反対側の面）が定規に摺動するガイド面となる。以下、このガイド体１４の主ベース部４への取付構造について詳細に説明する。
【００１５】
すなわち、ガイド体１４は、その一端が軸着部１８において主ベース部４に対して軸着され、この軸着部１８を中心としてガイド体１４が回動するようになっている。この軸着部１８は、図５に示されるように、ガイド体１４に形成された貫通孔１９を通って、主ベース部４に形成した貫通孔２１に固定軸２０が圧入固定される構造となっている。すなわち、主ベース部４に形成された貫通孔２１は、固定軸２０の小径部２０ｂの径より少し小さい径とされ、これにより、固定軸２０の小径部２０ｂが主ベース部４の貫通孔２１に圧入される。一方、ガイド体１４に形成された貫通孔１９の径は、両者の間にクリアランスが殆ど生じないよう固定軸２０の大径部２０ａと略同一の径（ただし、貫通孔１９の径の方が若干大きい）とされている。したがって、ガイド体１４は、固定軸２０を回動中心として、主ベース部４に対して図１中矢印Ｔ、Ｈ方向に回動可能となる。
【００１６】
一方、ガイド体１４の他端は、固定部６において主ベース部４に固定される。この固定部６の構造について、図３及び図４に基づいて説明する。
固定部６は、図３に良く示されるように、ボルト７を締付けることにより、主ベース部４にガイド体１４を固定する構造を有する。すなわち、ガイド体１４には貫通孔１２が形成され、この貫通孔１２は、ボルト７のネジ部１０よりも径が大きく、ボルト７の押え部９よりも小さい径とされる。そして、主ベース部４には、ボルト７のネジ部１０に螺合する雌ネジ部１３が形成される。
【００１７】
かかる構成において、ガイド体１４を主ベース部４に固定するためには、ボルト７のネジ部１０を、ガイド体１４の貫通孔１２を貫通した状態で主ベース部４の雌ネジ部１３に螺合させる。そして、ボルト７によりガイド体１４を締付けることによって、ボルト７の押え部９と主ベース部４とでガイド体１４を挟み込み、ガイド体１４を主ベース部４に固定することとなる。
逆に、ガイド体１４を主ベース部４に対して回動可能な状態とするためには、ボルト７のつまみ８を解除側に回転させてボルト７の押え部９を上昇させ、これによりボルト７の締め付け状態を解除する。ボルト７による締付が解除されれば、ガイド体１４は貫通孔１２の範囲内で回動することができることとなる。例えば、図３に示すように、ボルト７のネジ部１０がガイド体１４に形成された貫通孔１２の右側面（図３において右側の側壁面）に当接する位置までガイド体１４を回動させた場合には、図１に示すように、ガイド体１４が主ベース部４に対して最も閉じた（最も矢印Ｔ方向に移動した）状態となる。一方、ボルト７のネジ部１０がガイド体１４に形成された貫通孔１２の左側面（図３において左側の側壁面）に当接する位置までガイド体１４を回動させた場合には、図２に示すように、ガイド体１４が主ベース部４に対して最も開いた（最も矢印Ｈ方向に移動した）状態となる。このため、ガイド体１４は、図１と図２に示す範囲内において、主ベース部４に対して回動可能となる。
したがって、ノコ刃２８とガイド体１４（ガイド体１４のガイド面１５）の平行度を調整するためには、まず、ボルト７を緩めてガイド体１４を主ベース部４に対して回動可能な状態とする。しかる後、ガイド体１４とノコ刃２８の平行度を調整し、その状態でボルト７を締め付けてガイド体１４を主ベース部４に対して固定することとなる（例えば、図４に示す状態でボルト７を締付けた状態）。
【００１８】
以上で説明したように、本実施例の丸鋸機１では、ガイド体１４の一端が軸着部１８において主ベース部４に直接軸着され、所定の角度範囲内で回動することだけが許容されている。したがって、一度ノコ刃２８とガイド体１４の平行度が調整された後は、次のノコ刃交換等が行われるまではガイド体１４と主ベース部４の固定状態が解除されることは無い。このため、ノコ刃２８とガイド体１４との平行度がずれてしまうことが防止される。
また、ガイド体１４を主ベース部４に軸着する軸着部１８においては、ガイド体１４の貫通孔１９と固定軸２０の間には殆どクリアランスが生じないようにされている。また、ガイド体１４の反対側の端部は、固定部６において主ベース部４に固定され、ガイド体１４はその両端２箇所において主ベース部４に固定される。したがって、ガイド体１４に大きな力が作用しても、ガイド体１４が主ベース部４に対してその位置がずれ難い構造となっている。
また、ガイド体１４を主ベース部４に対して固定する固定部６においては、ボルト７につまみ８を設けることによってボルト７の操作を容易に行うことができるようにしている。このため、工場出荷時やノコ刃２８の交換時等におけるガイド体１４とノコ刃２８の平行度調整を容易に行うことができる。
【００１９】
なお、ガイド体１４を主ベース部４に固定するための構造等は、上記実施例に限られず、種々の変形・改良を加えて実施することができる。例えば、上記実施例においては、ガイド体１４を主ベース部４に対して軸着することで回動可能としたが、このような例に限られず、例えばヒンジ等を使用することで主ベース部に回動可能となるようにしても良い。
また、上記実施例において、ボルト７につまみ８を設ける代わりに、六角穴が設けられたボルトにより、ガイド体１４を主ベース部４に固定するような構造としても良い。このような形態によれば、作業者等が不注意でボルト７を操作して、ガイド体１４とノコ刃２８の平行度がずれてしまうことを防止することができる。
【００２０】
また、上記実施例では、ガイド体１４の軸着部１８が切断進行方向後側（図１中下側）に設けられ、固定部６が切断進行方向前側（図１中上側）に設けられているが、本発明は上記実施例に限られず、軸着部１８を切断進行方向前側（図１中上側）に設け、固定部６を切断進行方向後側（図１中下側）に設けられていても良い。また、上記実施例では、ガイド体１４は主ベース部４のモータ側端面に設けられているが、ガイド体１４は主ベース部４のノコ刃側端面に設けられていても良い。
【００２１】
以上、本発明の好適な実施例について詳細に説明したが、これは例示に過ぎず、本発明は当業者の知識に基づいて種々の変更、改良を施した形態で実施することができる。
【図面の簡単な説明】
【図１】  ガイド体が最も閉じた状態のときの丸鋸機の平面図である。
【図２】  ガイド体が最も開いた状態のときの丸鋸機の平面図である。
【図３】  ガイド体が最も閉じた状態のときの図１中III−III断面図である。
【図４】  ガイド体が中間位置にあるときの固定部を示した半断面図である。
【図５】  図１中V−V断面図である。
【図６】  ガイド体が最も開いた状態のときの図２中VI−VI断面図である。
【図７】  従来の技術に係る丸鋸機の構造を模式的に示す図面である。
【符号の説明】
１  ：丸鋸機
２  ：ベース
４  ：主ベース部
６  ：固定部
１２：貫通孔
１４：ガイド体
２０：回動中心軸
２８：ノコ刃
【図１】
0004204749.tif 000002
【図２】
0004204749.tif 000003
【図３】
0004204749.tif 000004
【図４】
0004204749.tif 000005
【図５】
0004204749.tif 000006
【図６】
0004204749.tif 000007
【図７】
0004204749.tif 000008